(57)【特許請求の範囲】
【請求項１】
管轄する伝送路での故障発生の有無を監視する伝送路監視手段と、
伝送される情報セルの中から保守運用管理情報セルをモニターすると共に、検出した保守運用管理情報セルをそのまま送出し又は修正して切替トリガセルとした保守運用管理情報セルを送出する保守運用管理情報モニター手段と、
前記伝送路監視手段からの故障情報に基づいて切替トリガセル送出の必要の有無を判定すると共に、前記保守運用管理情報モニター手段で検出した保守運用管理情報セルが切替トリガセルであるか否かを判定する切替トリガ判定手段と、
この切替トリガ判定手段での切替トリガセルとの判定に基づいて伝送路の切替処理を行う切替手段と、
検出した保守運用管理情報セル又は切替トリガセルとしての保守運用管理情報セルに切替処理に必要な情報を挿入して修正する情報挿入手段と
を備えて構成されたことを特徴とする伝送ノード。
【請求項２】
請求項１記載の伝送ノードを複数備えてなることを特徴とするネットワークシステム。
【発明の詳細な説明】
【０００１】
【発明の属する技術分野】
この発明は、現用系伝送路に故障が発生した場合に、ユーザ通信帯域への影響を最小限に抑えて効率的に伝送路を切り替えることができる伝送ノード及びネットワークシステムに関するものである。
【０００２】
【従来技術】
一般に、ＡＴＭ通信網は冗長構成をとり、故障が発生した場合はＶＰ切替を行って通信機能が中断しないようにしている。このＡＴＭ通信網の冗長構成の一例を図２に示す。ここでは、ＶＰハンドラ（ＶＰＨ−ａ）とＶＰＨ−ｂとが切替端となり、これらの間で冗長構成をとって切替区間となっている。この切替区間で現用系ルートと予備系ルートが設けられている。各ルートにはＶＰＨ−ｃとＶＰＨ−ｄがそれぞれに設けられ、ＯＡＭセル（保守運用管理情報セル）と切替トリガセルを個別に発出する。ＯＡＭセルは各種の保守運用管理情報を有する。切替トリガセルは故障発生に伴ってＶＰ切替を指示する切替トリガ情報を有する。切替トリガセルは、切替端であるＶＰＨ−ｂで終端し、切替区間内で閉じている。
【０００３】
切替区間内で故障が発生したときは、ＶＰＨの故障検出装置によって切替トリガセルをＯＡＭセルとは別に発出する。切替区間の出側端局であるＶＰＨ−ｂが切替トリガセルを受信したときは、このＶＰＨ−ｂによってＶＰのルートの変更がＶＰＨ−ｄを介してＶＰＨ−ａに指示され、これによりＶＰが予備系ルートに切り替わる。
【０００４】
【発明が解決しようとする課題】
前記ＡＴＭ通信網では、ＯＡＭセルは適当なタイミングで挿入される。これは、カスタマの通信帯域を圧縮しないようにするためである。切替トリガセルもＯＡＭセルの例にならい、適当なタイミングで送出される。その一方、同一ＶＰに対しては、管理用のセルの送出間隔は１秒ということになっているので、切替トリガセルと故障を通知するＯＡＭセルとの間には約１秒の差が生まれてしまう。これは、故障通知を受けた後、切替トリガセルに基づいて切替処理を実行するまでに最短でも約１秒間の遅れが生じてしまうことであり、ネットワークの管理上好ましくない。
【０００５】
さらに、大量のＶＰが切替区間内で発生したときは、前記切替トリガセルやＯＡＭセルがそのトラフィックに悪影響を与えてしまうという問題がある。
【０００６】
上記問題点を解決するために本発明は、ＶＰのＯＡＭ機能を修正し、切替区間を意識せずにＶＰ切替を行うことができる伝送ノード及びネットワークシステムを提供することを目的としている。
【０００７】
【課題を解決するための手段】
上記目的を達成するため、第１の発明に係る伝送ノードは、管轄する伝送路での故障発生の有無を監視する伝送路監視手段と、伝送される情報セルの中から保守運用管理情報セルをモニターすると共に、検出した保守運用管理情報セルをそのまま送出し又は修正して切替トリガセルとした保守運用管理情報セルを送出する保守運用管理情報モニター手段と、前記伝送路監視手段からの故障情報に基づいて切替トリガセル送出の必要の有無を判定すると共に、前記保守運用管理情報モニター手段で検出した保守運用管理情報セルが切替トリガセルであるか否かを判定する切替トリガ判定手段と、この切替トリガ判定手段での切替トリガセルとの判定に基づいて伝送路の切替処理を行う切替手段と、検出した保守運用管理情報セル又は切替トリガセルとしての保守運用管理情報セルに切替処理に必要な情報を挿入して修正する情報挿入手段とを備えて構成されたことを特徴とする。
【０００８】
前記構成により、伝送路監視手段で伝送路故障を検出したときは、その故障情報に基づいて、切替トリガ判定手段が切替トリガセルを送出する必要があるか否かを判定する。切替トリガセルを送出する必要があると判定したときは、情報挿入手段が切替トリガセルとしての保守運用管理情報セルに切替処理に必要な情報を適宜挿入して修正し、保守運用管理情報モニター手段から送出する。
【０００９】
一方、保守運用管理情報モニター手段で保守運用管理情報セルを検出したときは、切替トリガ判定手段でその保守運用管理情報セルが切替トリガセルであるか否かを判定する。切替トリガセルであると判定したときはさらに、その切替トリガセルが自己の管轄区間での切り替えを指示しているとき、切替手段で伝送路の切替処理を行う。切替トリガセルが自己の管轄区間での切り替えを指示していないとき、情報挿入手段で切替処理に必要な情報を適宜挿入して、保守運用管理情報モニター手段から送出する。
【００１０】
第２の発明に係るネットワークシステムは、前記第１の発明に係る伝送ノードを複数備えたことを特徴とする。
【００１１】
前記構成により、ネットワーク上のどこかに故障が発生したときには、情報の伝送方向下流側の伝送ノードが切替トリガセルとしての保守運用管理情報セルを通常のタイミングで送出する。この切替トリガセルとしての保守運用管理情報セルを検出した他の伝送ノードは、自己の装置の役割に応じて、そのまま送出したり、伝送路を切り替えたりする。この結果、ネットワークのいずれかで故障が発生したばあいでも、ユーザ帯域に影響を与えることなく、短時間で修復作業を完了することができる。
【００１２】
【発明の実施の形態】
以下、本発明に係る伝送ノード及びネットワークシステムの実施形態について添付図面を参照しながら説明する。
［第１実施形態］
図１は本実施形態に係る伝送ノードとしてのＶＰＨを示す機能ブロック図、図３は冗長構成のＶＰを配したネットワークを示す構成図である。
【００１３】
この図３のネットワーク構成では、２段階の冗長構成となっている。即ち、ＶＰＨ−１とＶＰＨ−５との間で１つの冗長構成をとり、さらにＶＰＨ−２とＶＰＨ−４との間でも１つの冗長構成をとる。これにより、２段階の冗長構成となっている。ＶＰＨ−１とＶＰＨ−５との間を切替区間Ａとし、この切替区間Ａを識別するためのＩＤを１とする。ＶＰＨ−２とＶＰＨ−４との間を切替区間Ｂとし、この切替区間Ｂを識別するためのＩＤを１１とする。さらに、切替区間Ｂの現用系ＶＰにはＶＰＨ−３が、切替区間Ａの予備系ＶＰにはＶＰＨ−６が、それぞれ設けられている。
【００１４】
各ＶＰＨは、図１に示すように主に、切替処理部４１と切替トリガ処理部４２とを有して構成されている。
【００１５】
切替トリガ処理部４２は、伝送路の故障監視、ＯＡＭセルの修正等の処理を行う部分であり、伝送路監視部４２−１、切替トリガ判定部４２−２、切替トリガ情報挿入部４２−３、切替区間ＩＤデータ４２−４、ＯＡＭセルモニタリング部４２−５及び切替端局データ４２−６を備えて構成されている。
【００１６】
伝送路監視部４２−１は、管轄する伝送路において故障が発生していないかを監視する伝送路監視手段である。ＯＡＭセルモニタリング部４２−５は、伝送される情報の中からＯＡＭセル（保守運用管理情報セル）をモニターすると共に、検出したＯＡＭセルをそのまま送出し又は修正して切替トリガセルとしたＯＡＭセルを送出する保守運用管理情報モニター手段である。切替トリガ判定部４２−２は、伝送路監視部４２−１からの故障情報に基づいて切替トリガセルを送出する必要があるか否かを判定してそれに応じた処理を行うと共に、ＯＡＭセルモニタリング部４２−５で検出したＯＡＭセルが切替トリガセルであるか否かを判定する切替トリガ判定手段である。切替トリガ情報挿入部４２−３は、検出したＯＡＭセル又は切替トリガセルとしてのＯＡＭセルに切替処理に必要な情報を適宜挿入して修正する情報挿入手段である。また、切替区間ＩＤデータ４２−４と切替端局データ４２−６は、局建設時に決まるものであるため、ＶＰＨのＯｐＳ（オペレーションシステム）で予め設定される。
【００１７】
切替処理部４１は、切替トリガ判定部４２−２で検出ＯＡＭセルが切替を指示する切替トリガセルであると判定した場合に伝送路の切替処理を行う切替手段であり、切替区間の出側の端局で機能する。
【００１８】
以上の構成のＶＰＨには、図５おｙぼい図６に示す処理機能が格納されている。
【００１９】
図４は本実施形態で用いるＯＡＭセルのフォーマットを示す構成図である。ＯＡＭセルは、図中ののＯＡＭセルフォーマット３１に示すように、セルヘッダ３１−１、ＯＡＭセル種別３１−２、ＯＡＭ機能種別３１−３、機能特有フィールド３１−４、予備フィールド３１−５及び誤り検出符号３１−６で構成されている。セルヘッダ３１−１はヘッダ情報を記録する。ＯＡＭセル種別３１−２はＯＡＭセルの種別を記録する。ＯＡＭ機能種別３１−３は種々有する機能の種別を記録する。機能特有フィールド３１−４はＯＡＭセルの用途に応じた特有の機能情報が記録される。誤り検出符号３１−６は新しいデータが記録される毎にそれに合わせて書き換えられる。
【００２０】
このＯＡＭセルのうちＡＩＳ／ＲＤＩセルは、前記ＯＡＭセルフォーマット３１の機能特有フィールド３１−４が、図中のＡＩＳ／ＲＤＩセルフォーマットＡ３２に示す構成となる。即ち、前記機能特有フィールド３１−４内が、伝送路で発生した故障の種別を記録する故障種別３２−１と、その故障が発生した場所を記録する故障場所３２−２と、未使用領域３２−３とで構成されている。また、ＡＩＳ／ＲＤＩセルフォーマットＢ３３は、前記ＡＩＳ／ＲＤＩセルフォーマットＡ３２に、切替区間ＩＤを記録する切替区間ＩＤ３３−３と、切替の抑止を指示するＯＮ及び切替を指示するＯＦＦを記録する切替フラグ３３−４とを追加して構成されている。故障種別３３−１、故障場所３３−２及び未使用領域３３−５は、前記ＡＩＳ／ＲＤＩセルフォーマットＡ３２と同様である。
［動作］
次に、前記構成伝送ノードとしてのＶＰＨを配したネットワークシステムの動作を図５及び図６のフローチャートに基づいて説明する。
【００２１】
まず、伝送路故障を検出したときの動作を図５に基づいて説明する。
【００２２】
図５の処理がスタートして（ステップ５−１）、伝送路監視部４２−１で伝送路を監視する。この伝送路監視部４２−１で伝送路故障の発生を検出したときは、その検出信号を切替トリガ判定部４２−２へ送る（ステップ５−２）。切替トリガ判定部４２−２では、伝送路監視部４２−１からの検出信号から故障内容を判断し、切替トリガセルを出す必要があるか否かを判定する（ステップ５−３）。ここで、切替トリガセルを出す必要がないと判定したときは、処理を終了する（ステップ５−９）。切替トリガセルを出す必要があると判定したときは、切替端末データ４２−６を参照して自己のＶＰＨの役割を判定する（ステップ５−４）。ここで、端局以外と判定したときは、切替フラグ及び切替区間ＩＤを挿入しないで、故障種別３３−１及び故障場所３３−２を書き込んだＯＡＭセルを作成してＯＡＭセルモニタリング部４２−５から送出する（ステップ５−７）。
【００２３】
ステップ５−４で入り側の端局と判定したときは、故障種別３３−１及び故障場所３３−２を挿入すると共に、切替フラグを“ＯＮ”にセットし（ステップ５−５）、さらに切替区間ＩＤデータ４２−４を参照して自己の属する切替区間ＩＤを挿入してＯＡＭセルを作成し（ステップ５−６）、ＯＡＭセルモニタリング部４２−５から送出する（ステップ５−７）。
【００２４】
また、ステップ５−４で出側の端局と判定したときは、切替処理部４１に対して切替指示を出し（ステップ５−８）、切替フラグ及び切替区間ＩＤを挿入しないで、故障種別３３−１及び故障場所３３−２を書き込んだＯＡＭセルを作成してＯＡＭセルモニタリング部４２−５から送出する（ステップ５−７）。
【００２５】
なお、ステップ５−７でＯＡＭセルを作成してＯＡＭセルモニタリング部４２−５から送出する際には、故障発生によりＯＡＭ機能もほぼ途切れた状態であるため、送出タイミングを考慮する必要はない。
【００２６】
次に、ＯＡＭセルを検出したときの動作を図６に基づいて説明する。
【００２７】
まず、図６の処理がスタートして（ステップ６−１）、ＯＡＭセルモニタリング部４２−５が各ＶＰのＯＡＭセルをモニタする。このＯＡＭセルモニタリング部４２−５で切替トリガ（例えばＶＰ−ＡＩＳ等）となるＯＡＭセルを検出すると、その旨とＯＡＭセルの内容を切替トリガ判定部４２−２へ通知する（ステップ６−２）。
【００２８】
切替トリガ判定部４２−２では、取り込んだＯＡＭセルの内容を判定する（ステップ６−３）。ここで、切替トリガでないと判定したときは、ＯＡＭセルをそのままＯＡＭセルモニタリング部４２−５から送出する（ステップ６−８）。即ち、ＯＡＭセルをスルーする。切替トリガであると判定したときは、さらに切替端末データ４２−６を参照して自己のＶＰＨの役割を判定する（ステップ６−４）。ここで、端局以外と判定したときは、切替フラグ及び切替区間ＩＤを挿入しないで、取り込んだＯＡＭセルをそのままＯＡＭセルモニタリング部４２−５から通常のタイミングで送出する（ステップ６−８）。即ち、ＯＡＭセルをスルーする。
【００２９】
ステップ６−４で入り側の端局と判定したときは、さらに切替フラグを判定する（ステップ６−５）。切替フラグが“ＯＮ”の場合は、切替抑止を意味し、取り込んだＯＡＭセルをそのままＯＡＭセルモニタリング部４２−５から送出する（ステップ６−８）。切替フラグが“ＯＦＦ”の場合は、切替フラグを“ＯＮ”にセットし（ステップ６−６）、さらに切替区間ＩＤデータ４２−４を参照して自己の属する切替区間ＩＤを挿入（ステップ６−７）してＯＡＭセルを修正し、ＯＡＭセルモニタリング部４２−５から送出する（ステップ６−８）。
【００３０】
また、ステップ６−４で出側の端局と判定したときは、切替フラグを判定し（ステップ６−９）、切替フラグ“ＯＦＦ”の場合は、切替処理部４１に対して切替指示を出し（ステップ６−１０）、ＯＡＭセルは修正しないで、そのままＯＡＭセルモニタリング部４２−５から送出する（ステップ６−８）。ステップ６−９で切替フラグ“ＯＮ”と判定したときは、さらに切替区間ＩＤを判定し（ステップ６−１１）、ＩＤ不一致のときは、ＯＡＭセルは修正しないで、そのままＯＡＭセルモニタリング部４２−５から送出する（ステップ６−８）。ＩＤ一致のときは、切替フラグを“ＯＦＦ”にセットし（ステップ６−１２）、さらに切替区間ＩＤを削除して（ステップ６−１３）、ＯＡＭセルモニタリング部４２−５から送出する（ステップ６−８）。ＯＡＭセル送出により処理を終了する（ステップ６−１４）。
【００３１】
次に、図３に示すネットワークのうち、ＶＰＨ−１とＶＰＨ−２との間で伝送路故障が発生した場合の各ＶＰＨの動作を説明する。この場合は、切替区間Ｂでの切替処理を抑止し、切替区間Ａでの切替によって、伝送路の故障を復旧することになる。具体的には、次の動作による。
［ＶＰＨ−２の動作］
ＶＰＨ−２では、伝送路の故障を検出して切替トリガセルを送出する。具体的には、図５の処理がスタートして（ステップ５−１）、伝送路故障の発生を検出し、その検出信号を切替トリガ判定部４２−２へ送る（ステップ５−２）。切替トリガ判定部４２−２では切替トリガセルを出す必要があると判定し（ステップ５−３）、自己のＶＰＨの役割を判定する（ステップ５−４）。ＶＰＨ−２は切替区間Ｂの入り側の端局であるため、故障種別３３−１及び故障場所３３−２を挿入すると共に、切替フラグを“ＯＮ”にセットし（ステップ５−５）、さらに自己の属する切替区間ＩＤを挿入（ステップ５−６）してＯＡＭセルを作成し、ＯＡＭセルモニタリング部４２−５から送出して（ステップ５−７）、処理を終了する（ステップ５−９）。
【００３２】
これにより、ＶＰＨ−２から図４のフォーマットＢ３３で、切替区間ＩＤ＝１１、切替フラグ＝“ＯＮ”のＯＡＭセルが切替トリガセルとして送出される。
［ＶＰＨ−３の動作］
ＶＰＨ−３は、端局ではないため、ＶＰＨ−２からの切替トリガセルをスルーする。具体的には、図６の処理がスタートして（ステップ６−１）、ＯＡＭセルモニタリング部４２−５でＶＰＨ−２からの切替トリガセルであるＯＡＭセルを検出し、その旨とＯＡＭセルの内容を切替トリガ判定部４２−２へ通知する（ステップ６−２）。切替トリガ判定部４２−２ではＶＰＨ−２からの切替トリガセルであると判定し（ステップ６−３）、さらに自己のＶＰＨの役割を判定する（ステップ６−４）。ＶＰＨ−３は端局以外であるため、取り込んだＯＡＭセルをそのままＯＡＭセルモニタリング部４２−５から送出して（ステップ６−８）、処理を終了する（ステップ６−１４）。
【００３３】
これにより、ＶＰＨ−３ではＶＰＨ−２の送出したＯＡＭセルをスルーする。
［ＶＰＨ−４の動作］
ＶＰＨ−４は、出側の端局であるが、切替フラグがＶＰＨ−２で“ＯＮ”にセットされたままであるため、ＶＰＨ−３からの切替トリガセルを修正して送出する。具体的には、図６の処理がスタートして（ステップ６−１）、ＯＡＭセルモニタリング部４２−５でＶＰＨ−３からの切替トリガセルであるＯＡＭセルを検出し、その旨とＯＡＭセルの内容を切替トリガ判定部４２−２へ通知する（ステップ６−２）。切替トリガ判定部４２−２では切替トリガセルであると判定し（ステップ６−３）、さらに自己のＶＰＨの役割を判定する（ステップ６−４）。ＶＰＨ−４は出側の端局であるため、さらに切替フラグを判定する（ステップ６−９）。切替フラグはＶＰＨ−２で“ＯＮ”にセットされたままであるため、さらに切替区間ＩＤを判定する（ステップ６−１１）。切替区間ＩＤはＶＰＨ−２で１１にセットされているため、切替区間ＩＤが一致し、切替フラグを“ＯＦＦ”にセットすると共に（ステップ６−１２）、切替区間ＩＤを削除して“ＮＵＬＬ”をセットし直し（ステップ６−１３）、ＯＡＭセルモニタリング部４２−５から送出する（ステップ６−８）。ＯＡＭセル送出により処理を終了する（ステップ６−１４）。
【００３４】
これにより、ＶＰＨ−４ではＶＰＨ−２で作成したＯＡＭセルを修正して送出する。
［ＶＰＨ−５の動作］
ＶＰＨ−５は、出側の端局であり、切替フラグは“ＯＦＦ”にセットされているため、伝送路の切替処理を行う。具体的には、図６の処理がスタートして（ステップ６−１）、ＯＡＭセルモニタリング部４２−５でＶＰＨ−４からの切替トリガセルであるＯＡＭセルを検出し、その旨とＯＡＭセルの内容を切替トリガ判定部４２−２へ通知する（ステップ６−２）。切替トリガ判定部４２−２では切替トリガセルであると判定し（ステップ６−３）、さらに自己のＶＰＨの役割を判定する（ステップ６−４）。ＶＰＨ−５は出側の端局であるため、さらに切替フラグを判定する（ステップ６−９）。切替フラグはＶＰＨ−４で“ＯＦＦ”にセットされているため、切替処理部４１に対して切替指示を出し（ステップ６−１０）、ＯＡＭセルは修正しないで、そのままＯＡＭセルモニタリング部４２−５から送出し（ステップ６−８）、処理を終了する（ステップ６−１４）。
［伝送路の切替処理］
ステップ６−１０での切替指示により、ＶＰＨ−５の切替処理部４１が起動する。この切替処理部４１では、切替用セルをＶＰＨ−１に対してＶＰＨ−６経由で出して切替指示を行う。ＶＰＨ−１では、ＶＰＨ−５からの切替指示により、切替を実施し、その結果を切替用セルでＶＰＨ−５へ通知する。ＶＰＨ−５では、ＶＰＨ−１から切替指示の応答を受けて、切替処理部４１が伝送路切替処理を実行する。これで、ＶＰ切替が完了する。
［効果］
伝送路での故障発生により送出する切替トリガとしてＯＡＭセルを用い、必要に応じて内容を修正しながら使用するため、各ＶＰＨにおいて新たに切替トリガセルを定義する必要がなくなる。このため、ＯＡＭセルと切替トリガセルを分けた場合に生じる、セルの発出タイミングの問題が解消する。
【００３５】
さらに、ＯＡＭセルと切替トリガセルを分けた場合のようにユーザ帯域を圧縮率することがなく、確実に伝送路の切り替えを行うことができるようになる。
【００３６】
また、図３に示すように切替区間がネストしている場合でも、各ＶＰＨで適宜判断して切替区間での適切な切替が可能になる。
［第２実施形態］
次に本発明の第２実施形態について説明する。図７は本実施形態に係るネットワークを示す構成図である。本実施形態では、ＶＰＨ−１とＶＰＨ−４との間及びＶＰＨ−４とＶＰＨ−７との間でそれぞれ冗長構成をとる。そして、ＶＰＨ−１とＶＰＨ−４との間を切替区間Ａとし、この切替区間Ａを識別するためのＩＤを１とする。また、ＶＰＨ−４とＶＰＨ−７との間を切替区間Ｂとし、この切替区間Ｂを識別するためのＩＤを２とする。
【００３７】
各ＶＰＨの切替区間ＩＤデータ４２−４及び切替端局データ４２−６は局建設時にＶＰＨのＯｐＳで予め設定される。
【００３８】
本実施形態に係る切替トリガ通知用のＯＡＭセルのフォーマットは、前記第１実施形態のＯＡＭセルと同様である。即ち、図４のＡＩＳ／ＲＤＩセルフォーマットＢ３３を用いる。また、ＶＰＨ−１〜ＶＰＨ−７も前記第１実施形態のＶＰＨと同様であり、図１のＶＰＨを用いる。
［動作］
以上のように構成されたＶＰＨの処理動作を図５、図６及び図８のフローチャートに基づいて説明する。なお、図８のフローチャートは、図７中の切替区間Ａの出側の端局でかつ切替区間Ｂの入り側の端局となるＶＰＨ−４の動作のみを抜き取ったものである。このため、図８の処理において、ＯＡＭセル検出（ステップ８−２）及びセル内容判定（８−３）は、図６のステップ６−２，６−３と同様である。そして、図８のフローチャートでは、ステップ８−４の装置の役割判定において、入り側かつ出側の端局であるか否かのみを判定する。ここで、入り側かつ出側の端局でないと判定したときは、ＯＡＭセルを修正することなく、ＯＡＭセルモニタリング部４２−５からそのまま送出し（ステップ８−１１）、処理を終了する（ステップ８−１２）。
【００３９】
ステップ８−４において、入り側かつ出側の端局であると判定したときは、さらに切替フラグを判定する（ステップ８−５）。ここで、切替フラグ“ＯＦＦ”と判定したときは、切替処理部４１に対して切替指示を出し（ステップ８−６）、切替フラグを“ＯＮ”にセットすると共に（ステップ８−７）、切替区間ＩＤデータ４２−４を基に次の切替区間のＩＤをセットし直して（ステップ８−８）、ＯＡＭセルモニタリング部４２−５から送出する（ステップ８−１１）。ＯＡＭセル送出により処理を終了する（ステップ８−１２）。
【００４０】
ステップ８−５において、切替フラグ“ＯＮ”と判定したときは、さらに切替区間ＩＤを判定し（ステップ８−９）、ＩＤ不一致の場合は、ＯＡＭセルを修正することなく、ＯＡＭセルモニタリング部４２−５からそのまま送出する（ステップ８−１１）。ＩＤ一致の場合は、次の切替区間のＩＤをセットし直して（ステップ８−１０）、ＯＡＭセルモニタリング部４２−５から送出し（ステップ８−１１）、処理を終了する（ステップ８−１２）。
【００４１】
次に、図７に示すネットワークのうち、ＶＰＨ−１とＶＰＨ−２との間で伝送路障害が発生した場合の各ＶＰＨの動作を説明する。この場合は、切替区間Ｂでの切替処理を抑止し、切替区間Ａでの切替によって、伝送路の故障を復旧することになる。具体的には、次の動作による。なお、図７に示すネットワークのうち、ＶＰＨ−４が、入り側かつ出側の端局となる。即ち、切替区間Ｂの入り側の端局であると同時に、切替区間Ａの出側の端局となっている。
［ＶＰＨ−２の動作］
ＶＰＨ−２では、伝送路の故障を検出して切替トリガセルを送出する。具体的には、図５の処理がスタートして（ステップ５−１）、伝送路故障の発生を検出し、その検出信号を切替トリガ判定部４２−２へ送る（ステップ５−２）。切替トリガ判定部４２−２では切替トリガセルを出す必要があると判定し（ステップ５−３）、自己のＶＰＨの役割を判定する（ステップ５−４）。ＶＰＨ−２は端局ではないため、切替区間ＩＤ＝ＮＵＬＬ、切替フラグ＝“ＯＦＦ”で、故障種別３３−１及び故障場所３３−２のみを挿入したＯＡＭセルを作成し、ＯＡＭセルモニタリング部４２−５から送出して（ステップ５−７）、処理を終了する（ステップ５−９）。
【００４２】
これにより、図４のフォーマットＢ３３において、切替区間ＩＤ＝ＮＵＬＬ、切替フラグ＝“ＯＦＦ”のＯＡＭセルが切替トリガセルとしてＶＰＨ−２から送出される。
［ＶＰＨ−４の動作］
ＶＰＨ−４は入り側かつ出側の端局であるため、図８のフローチャートにより処理される。このＶＰＨ−４では、ＶＰＨ−１に対して切替指示が出されてＶＰが予備系に切り替えられる。
【００４３】
具体的には、図８の処理がスタートして（ステップ８−１）、ＯＡＭセルモニタリング部４２−５でＶＰＨ−２からの切替トリガセルであるＯＡＭセルを検出し、その旨とＯＡＭセルの内容を切替トリガ判定部４２−２へ通知する（ステップ８−２）。切替トリガ判定部４２−２では切替トリガセルであると判定し（ステップ８−３）、さらに自己のＶＰＨの役割を判定する（ステップ８−４）。ＶＰＨ−４は入り側かつ出側の端局であるため、さらに切替フラグを判定する（ステップ８−５）。切替フラグ３３−４にはＶＰＨ−２で“ＯＦＦ”がセットされているため、切替処理部４１に対して切替指示を出す（ステップ８−６）。次いで、切替フラグを“ＯＮ”にすると共に（ステップ８−７）、切替区間ＩＤ３３−３に次の切替区間ＢのＩＤである“２”をセットして（ステップ８−８）、ＯＡＭセルモニタリング部４２−５から送出し（ステップ８−１１）、処理を終了する（ステップ８−１２）。
【００４４】
一方、ステップ８−６での切替指示により、ＶＰＨ−４の切替処理部４１が起動する。この切替処理部４１では、切替用セルをＶＰＨ−１に対してＶＰＨ−３経由で出して切替指示を行う。ＶＰＨ−１では、ＶＰＨ−４からの切替指示により、切替を実施し、その結果を切替用セルでＶＰＨ−４へ通知する。ＶＰＨ−４では、ＶＰＨ−１から切替指示の応答を受けて、切替処理部４１が伝送路切替処理を実行する。
［ＶＰＨ−５の動作］
ＶＰＨ−５は、端局ではないため、ＶＰＨ−４からの切替トリガセルをスルーする。具体的には、図６の処理がスタートして（ステップ６−１）、ＯＡＭセルモニタリング部４２−５でＶＰＨ−４からの切替トリガセルであるＯＡＭセルを検出し、その旨とＯＡＭセルの内容を切替トリガ判定部４２−２へ通知する（ステップ６−２）。切替トリガ判定部４２−２ではＶＰＨ−４からの切替トリガセルであると判定し（ステップ６−３）、さらに自己のＶＰＨの役割を判定する（ステップ６−４）。ＶＰＨ−５は端局以外であるため、取り込んだＯＡＭセルをそのままＯＡＭセルモニタリング部４２−５から送出して（ステップ６−８）、処理を終了する（ステップ６−１４）。
【００４５】
これにより、ＶＰＨ−５ではＶＰＨ−４の送出したＯＡＭセルをスルーする。
［ＶＰＨ−７の動作］
ＶＰＨ−７は、出側の端局であるが、切替フラグがＶＰＨ−４で“ＯＮ”にセットされたままであるため、伝送路の切替処理は行わない。具体的には、図６の処理がスタートして（ステップ６−１）、ＯＡＭセルモニタリング部４２−５でＶＰＨ−５からの切替トリガセルであるＯＡＭセルを検出し、その旨とＯＡＭセルの内容を切替トリガ判定部４２−２へ通知する（ステップ６−２）。切替トリガ判定部４２−２では切替トリガセルであると判定し（ステップ６−３）、さらに自己のＶＰＨの役割を判定する（ステップ６−４）。ＶＰＨ−７は出側の端局であるため、さらに切替フラグを判定する（ステップ６−９）。切替フラグはＶＰＨ−４で“ＯＮ”にセットされたままであるため、切替区間ＩＤを判定する（ステップ６−１１）。切替区間ＩＤはＶＰＨ−４で“２”にセットされているため、ＩＤ一致と判定する。このため、切替フラグを“ＯＦＦ”にセットし（ステップ６−１２）、切替区間ＩＤを削除して“ＮＵＬＬ”をセットし直して（ステップ６−１３）、ＯＡＭセルモニタリング部４２−５から送出し（ステップ６−８）、処理を終了する（ステップ６−１４）。
［効果］
伝送路での故障発生により送出する切替トリガとしてＯＡＭセルを用い、必要に応じて内容を修正しながら使用するため、各ＶＰＨにおいて新たに切替トリガセルを定義する必要がなくなる。このため、ＯＡＭセルと切替トリガセルを分けた場合に生じる、セルの発出タイミングの問題が解消する。
【００４６】
さらに、ＯＡＭセルと切替トリガセルを分けた場合のようにユーザ帯域を圧縮率することがなく、確実に伝送路の切り替えを行うことができるようになる。
【００４７】
また、図７に示すように切替区間が直列に配置されている場合でも、各ＶＰＨで適宜判断して切替区間での適切な切替が可能になる。
［第３実施形態］
次に本発明の第３実施形態について説明する。図９は本実施形態に係るネットワークを示す構成図である。本実施形態では、ＶＰＨ−２とＶＰＨ−５との間で冗長構成をとる。そして、ＶＰＨ−２とＶＰＨ−５との間を切替区間Ａとし、この切替区間Ａを識別するためのＩＤを１とする。各ＶＰＨの切替区間ＩＤデータ４２−４及び切替端局データ４２−６は局建設時にＶＰＨのＯｐＳで予め設定する。
【００４８】
本実施形態に係る切替トリガ通知用のＯＡＭセルのフォーマットは、前記第１実施形態のＯＡＭセルと同様である。即ち、図４のＡＩＳ／ＲＤＩセルフォーマットＢ３３を用いる。また、ＶＰＨ−１〜ＶＰＨ−６も前記第１実施形態のＶＰＨと同様であり、図１のＶＰＨを用いる。
［動作］
以上のように構成されたＶＰＨの処理動作を図５及び図６のフローチャートに基づいて説明する。なお、切替区間Ａで伝送路障害が発生した場合の動作は前述した第１、第２実施形態と同様であるため、ここでは、図９のネットワークのＶＰＨ−１とＶＰＨ−２との間で伝送路障害が発生した場合の各ＶＰＨの動作を説明する。
【００４９】
この場合のネットワークの動作においては、切替区間Ａでの切替処理を抑止しなければならない。なお、ＶＰＨ−１とＶＰＨ−２との間で伝送路障害が発生してしまうと、ＶＰ切替では障害の復旧は不可能となる。
［ＶＰＨ−２の動作］
ＶＰＨ−２では、伝送路の故障を検出して切替トリガセルを送出する。具体的には、図５の処理がスタートして（ステップ５−１）、伝送路故障の発生を検出し、その検出信号を切替トリガ判定部４２−２へ送る（ステップ５−２）。切替トリガ判定部４２−２では切替トリガセルを出す必要があると判定し（ステップ５−３）、自己のＶＰＨの役割を判定する（ステップ５−４）。ＶＰＨ−２は入り側の端局であるため、切替フラグを“ＯＮ”にセットすると共に（ステップ５−５）、切替区間ＩＤを“１”にセットして（ステップ５−６）、ＯＡＭセルモニタリング部４２−５から送出し（ステップ５−７）、処理を終了する（ステップ５−９）。
【００５０】
これにより、図４のフォーマットＢ３３において、切替区間ＩＤ＝“１”、切替フラグ＝“ＯＮ”のＯＡＭセルが切替トリガセルとしてＶＰＨ−２から送出される。
［ＶＰＨ−３の動作］
ＶＰＨ−３は、端局ではないため、ＶＰＨ−２からの切替トリガセルをスルーする。具体的には、図６の処理がスタートして（ステップ６−１）、ＯＡＭセルモニタリング部４２−５でＶＰＨ−２からの切替トリガセルであるＯＡＭセルを検出し、その旨とＯＡＭセルの内容を切替トリガ判定部４２−２へ通知する（ステップ６−２）。切替トリガ判定部４２−２ではＶＰＨ−２からの切替トリガセルであると判定し（ステップ６−３）、さらに自己のＶＰＨの役割を判定する（ステップ６−４）。ＶＰＨ−３は端局以外であるため、取り込んだＯＡＭセルをそのままＯＡＭセルモニタリング部４２−５から送出して（ステップ６−８）、処理を終了する（ステップ６−１４）。
【００５１】
これにより、ＶＰＨ−３ではＶＰＨ−２の送出したＯＡＭセルをスルーする。
［ＶＰＨ−５の動作］
ＶＰＨ−５は、出側の端局であるが、切替フラグがＶＰＨ−２で“ＯＮ”にセットされたままであるため、伝送路の切替処理は行わない。具体的には、図６の処理がスタートして（ステップ６−１）、ＯＡＭセルモニタリング部４２−５でＶＰＨ−３からの切替トリガセルであるＯＡＭセルを検出し、その旨とＯＡＭセルの内容を切替トリガ判定部４２−２へ通知する（ステップ６−２）。切替トリガ判定部４２−２では切替トリガセルであると判定し（ステップ６−３）、さらに自己のＶＰＨの役割を判定する（ステップ６−４）。ＶＰＨ−５は出側の端局であるため、さらに切替フラグを判定する（ステップ６−９）。切替フラグはＶＰＨ−２で“ＯＮ”にセットされたままであるため、切替区間ＩＤを判定する（ステップ６−１１）。切替区間ＩＤはＶＰＨ−２で“１”にセットされているため、ＩＤ一致と判定する。このため、切替フラグを“ＯＦＦ”にセットし（ステップ６−１２）、切替区間ＩＤを削除して“ＮＵＬＬ”をセットし直して（ステップ６−１３）、ＯＡＭセルモニタリング部４２−５から送出し（ステップ６−８）、処理を終了する（ステップ６−１４）。
【００５２】
これにより、ＶＰＨ−５では切替処理は起動せず、図４のフォーマットＢ３３で切替区間ＩＤ＝ＮＵＬＬ、切替フラグ＝“ＯＦＦ”のＯＡＭセルが送出する。
［ＶＰＨ−６の動作］
ＶＰＨ−６は、端局ではないため、ＶＰＨ−５からの切替トリガセルをスルーする。具体的には、図６の処理がスタートして（ステップ６−１）、ＯＡＭセルモニタリング部４２−５でＶＰＨ−２からの切替トリガセルであるＯＡＭセルを検出し、その旨とＯＡＭセルの内容を切替トリガ判定部４２−２へ通知する（ステップ６−２）。切替トリガ判定部４２−２では切替トリガセルであると判定し（ステップ６−３）、さらに自己のＶＰＨの役割を判定する（ステップ６−４）。ＶＰＨ−６は端局以外であるため、取り込んだＯＡＭセルをそのままＯＡＭセルモニタリング部４２−５から送出して（ステップ６−８）、処理を終了する（ステップ６−１４）。
【００５３】
これにより、ＶＰＨ−６ではＶＰＨ−５の送出したＯＡＭセルをスルーする。
［効果］
伝送路での故障発生により送出する切替トリガとしてＯＡＭセルを用い、必要に応じて内容を修正しながら使用するため、各ＶＰＨにおいて新たに切替トリガセルを定義する必要がなくなる。このため、ＯＡＭセルと切替トリガセルを分けた場合に生じる、セルの発出タイミングの問題が解消する。
【００５４】
さらに、ＯＡＭセルと切替トリガセルを分けた場合のようにユーザ帯域を圧縮率することがなく、確実に伝送路の切り替えを行うことができるようになる。
【００５５】
また、図９に示すように、切替区間外で伝送路障害が発生したときには、意味のないＶＰ切替を確実に抑止することができるようになる。
［変形例］
（１）  前記各実施形態のＶＰＨは、ＡＴＭネットワークに用いることが最も効果的である。
（２）  また、ＡＴＭネットワーク以外にも、冗長構成をとる切替区間を有するネットワークであれば、前記各実施形態のＶＰＨを用いることができ、前記各実施形態同様の作用、効果を奏することができる。
（３）  前記第１実施形態では、２段の階層構成としたが、３段以上の階層構造の場合でも、前記同様の作用、効果を奏することができる。
【００５６】
【発明の効果】
以上詳細に説明したように、本発明に係る伝送ノード及びネットワークシステムによれば、次のような効果を奏することができる。
【００５７】
伝送路での故障発生により送出する切替トリガとして保守運用管理情報セルを用い、必要に応じて内容を修正しながら使用するため、各伝送ノードにおいて新たに切替トリガセルを定義する必要がなくなる。このため、保守運用管理情報セルと切替トリガセルを分けた場合に生じる、セルの発出タイミングの問題が解消する。
【００５８】
さらに、保守運用管理情報セルと切替トリガセルを分けた場合のようにユーザ帯域を圧縮率することがなく、確実に伝送路の切り替えを行うことができるようになる。
【図面の簡単な説明】
【図１】本発明の第１実施形態に係る伝送ノードとしてのＶＰＨを示す機能ブロック図である。
【図２】従来の冗長構成のＶＰを配したネットワークを示す構成図である。
【図３】第１実施形態に係る、冗長構成のＶＰを配したネットワークを示す構成図である。
【図４】第１実施形態で用いるＯＡＭセルのフォーマットを示す構成図である。
【図５】第１実施形態に係る伝送路故障を検出したときの動作フローを示す図である。
【図６】第１実施形態に係る切替トリガセルを検出したときの動作フローを示す図である。
【図７】第２実施形態に係る、冗長構成のＶＰを配したネットワークを示す構成図である。
【図８】入り側、出側の端局が切替トリガセルを検出したときの動作フローを示す図である。
【図９】第３実施形態に係る、冗長構成のＶＰを配したネットワークを示す構成図である。
【符号の説明】
３１：ＯＡＭセルフォーマット、３１−１：セルヘッダ、３１−２：ＯＡＭセル種別、３１−３：ＯＡＭ機能種別、３１−４：機能特有フィールド、３１−５：予備フィールド、３１−６：誤り検出符号、３２：ＡＩＳ／ＲＤＩセルフォーマットＡ、３２−１：故障種別、３２−２：故障場所、３２−３：未使用領域、３３：ＡＩＳ／ＲＤＩセルフォーマットＢ、３３−１：故障種別、３３−２：故障場所、ＩＤ３３−３：切替区間、３３−４：切替フラグ、３３−５：未使用領域、４１：切替処理部、４２：切替トリガ処理部、４２−１：伝送路監視部、４２−２：切替トリガ判定部、４２−３：切替トリガ情報挿入部、４２−４：切替区間ＩＤデータ、４２−５：ＯＡＭセルモニタリング部、４２−６：切替端局データ。
【図１】
0003654784.tif 000002
【図２】
0003654784.tif 000003
【図３】
0003654784.tif 000004
【図４】
0003654784.tif 000005
【図５】
0003654784.tif 000006
【図６】
0003654784.tif 000007
【図７】
0003654784.tif 000008
【図８】
0003654784.tif 000009
【図９】
0003654784.tif 000010